(57)【要約】【課題】被撮影者の撮影時における負担を軽減させる撮影補助具を提供する。【解決手段】本発明に係る撮影補助具は、直線の辺を有する辺部と、前記辺部から広がりつつ切抜空間を設けて対称に枝分かれして形成される複数の枝部と、を有し、前記枝部は、切抜空間側から外側にかけて徐々に厚くなるとともに先端側からも徐々に厚くなる傾斜を有することを特徴とする。【選択図】図１
2014036774.tif 000002
【特許請求の範囲】
【請求項１】
直線の辺を有する辺部と、
前記辺部から広がりつつ切抜空間を設けて対称に枝分かれして形成される複数の枝部と、を有し、
前記枝部は、切抜空間側から外側にかけて徐々に厚くなるとともに先端側からも徐々に厚くなる傾斜を有する撮影補助具。
【請求項２】
前記辺部の直線の辺の長さは、３５ｃｍ以上４３ｃｍ以下の範囲にある請求項１記載の撮影補助具。
【請求項３】
発泡プラスチックにより形成されてなる請求項１記載の撮影補助具。
【請求項４】
前記複数の枝部の外側辺間の距離は４５ｃｍ以上５５ｃｍ以下の範囲内にある請求項１記載の撮影補助具。
【請求項５】
前記切抜空間は枝部の先端に行くに従い幅が広がるよう形成されており、前記切抜空間の先端幅は１５ｃｍ以上２０ｃｍ以下の範囲であり、当該切抜空間の深さは２５ｃｍ以上４０ｃｍ以下の範囲内にある請求項１記載の撮影補助具。
【請求項６】
前記切抜空間の底から５ｃｍの位置において、前記切抜空間の幅は８ｃｍ以上１２ｃｍ以下の範囲にある請求項６記載の撮影補助具。
【発明の詳細な説明】
【技術分野】
【０００１】
本発明は、撮影補助具に関する。より具体的には、Ｘ線撮影装置、Ｘ線ＣＴ撮影装置、ＭＲＩ撮影装置等の撮影装置による撮影の際、被撮影者の腰等体の下に当てて被撮影者の負担を軽減させるものである。
【背景技術】
【０００２】
Ｘ線撮影装置、Ｘ線ＣＴ撮影装置、ＭＲＩ撮影装置等の撮影装置は、Ｘ線や核磁気共鳴現象等を利用して被撮影者の体内部の状態を非侵襲に分析することが可能な装置であり、現代医療において欠かすことのできないものとなっている。
【０００３】
ところで、撮影の際、被撮影者は一般に、平らで硬い撮影台の上に横にならなければならないところ、高齢者等背骨が湾曲した者がこの平らで硬い撮影台の上に少しの時間といえども無理に腰を伸ばして横になることは非常に大きな負担となっている。また健常者であっても、長時間にわたる場合は大きな負担となる。
【０００４】
また、撮影したい箇所によっては被撮影者の体の向きを傾けて撮影する場合がある。この場合、この位置を固定するために撮影補助具を用いると便利である。この撮影補助具は一般に、撮影画像に映りこまない物質で形成されている楔形状等のブロックとして市販されている（例えば下記非特許文献１参照）。
【先行技術文献】
【非特許文献】
【０００５】
【非特許文献１】ｈｔｔｐ：ｗｗｗ．ｎｉｋｋｏｆｉｎｅｓ．ｃｏ．ｊｐ／ａｄｄ／ｓｏｆｔ／ｉｎｄｅｘ．ｈｔｍｌ
【発明の概要】
【発明が解決しようとする課題】
【０００６】
しかしながら、上記ブロックは楔形状などの非常にシンプルな形を提案するだけであり、高齢者等背骨が湾曲した者の使用を想定したものとはなっておらず、上記した背骨が湾曲した者の使用における課題を十分に解決できていない。また、撮影の際、被撮影者の体をどのような向きにするか、ブロックをどのように配置するか、といったことを定めるため、撮影者を一度横にした後で繰り返しの調整を行なわなければならず、撮影に時間がかかってしまい、この点からも被撮影者にとっても大きな負担となる。
【０００７】
そこで本発明は、上記課題を鑑み、被撮影者の撮影時における負担を軽減させる撮影補助具を提供することを目的とする。
【課題を解決するための手段】
【０００８】
上記課題を解決するための第一の観点に係る撮影補助具は、直線の辺を有する辺部と、この辺部から広がりつつ切抜空間を設けて対称に枝分かれして形成される複数の枝部と、を有し、枝部は、切抜空間側から外側にかけて徐々に厚くなるとともに先端側からも徐々に厚くなる傾斜部を有することを特徴とする。
【発明の効果】
【０００９】
以上、被撮影者の撮影における負担を軽減させる撮影補助具を提供することができる。
【図面の簡単な説明】
【００１０】
【図１】実施形態に係る撮影補助具の平面図である。
【図２】実施形態に係る撮影補助具の右側面図である。
【図３】実施形態に係る撮影補助具の左側面図である。
【図４】実施形態に係る撮影補助具の上面図である。
【図５】実施形態に係る撮影補助具の底面図である。
【図６】実施形態に係る撮影補助具の背面図である。
【図７】実施形態に係る撮影補助具の一断面図である。
【図８】実施形態に係る撮影補助具の他の一断面図である。
【図９】実施形態に係る撮影補助具の他の一断面図である。
【図１０】実施形態に係る撮影補助具を使用する場合のイメージ図である。
【図１１】実施形態に係る撮影補助具を使用する場合のイメージ図である。
【図１２】撮影補助具の切抜空間の他の一例を示す図である。
【発明を実施するための最良の形態】
【００１１】
以下、本発明の実施形態について、図面を用いて詳細に説明する。ただし、本発明は多くの異なる形態による実施が可能であり、以下に示す実施形態、実施例の例示に限定されるものではない。
【００１２】
図１乃至９は、本実施形態に係る撮影補助具（以下「本補助具」という。）を示す図である。より具体的に説明すると図１は実施形態に係る撮影補助具の平面図、図２は右側面図、図３は左側面図、図４は上面図、図５は底面図、図６は背面図である。また、図７は、図１におけるＡ−Ａ’断面であり、図８はＢ−Ｂ’断面図であり、図９はＣ−Ｃ’断面図である。図１０、１１は、実施形態に係る撮影補助具を使用する場合のイメージ図である。
【００１３】
これらの図で示すように、本補助具１は、直線の辺２１を含む面を備える辺部２と、辺部２から広がりつつ切抜空間４を設けて対称に枝分かれして形成される複数の枝部３１、３２と、を有し、それぞれの枝部３１、３２は、先端側から徐々に厚くなるとともに、切抜空間側４から外側にかけて徐々に厚くなる傾斜を有し、これらが一体に形成されていることを特徴とする。
【００１４】
本補助具１は、背骨が湾曲した高齢者等の被撮影者がＸ線撮影装置等の撮影の際腰及び背中の下に敷く、より具体的には横になるための台と高齢者等被撮影者の腰と背中の間に配置するものであり、Ｘ線を透過する、又はＭＲＩ装置が発する磁場、核磁気共鳴信号に共鳴しない材料であるとともに、被撮影者が腰を乗せても痛くないよう弾力性のある材料であることが好ましい。上記の機能を有する限りにおいて限定されるわけではないが、材質としては例えば発泡プラスチックやゴムであることが好ましく、発泡プラスチックの場合、例えば材料にポリウレタン、ポリスチレン、ポリエチレン、ポリプロピレン、フェノール樹脂、ポリ塩化ビニル、ユリア樹脂、シリコーン、ポリイミド、メラミン樹脂等を挙げることができる。
【００１５】
また本補助具１において辺部２は、直線の辺２１を含む面を有するものである。直線の辺２１を設けることで、撮影の基準となりうる位置を台に設置する際、定める基準とすることができる。より詳細な効果としては後述の説明から明らかとなるものであるが、本補助具は傾斜によって腰を乗せる位置を定める一方、撮影の基準として重要である腰の位置に近い箇所に直線の辺２１を有する辺部２を設けているため、撮影の基準位置に対しこの直線の辺２１を軸として合わせることが可能となり、一度で被撮影者の腰の位置調整を行なうことができる。なお、辺部２は、基準として本補助具１の他の部位と明確に区別されている必要があることから、辺部２の直線の辺２１を含む面の周囲には、この直線の辺２１に対して角度をもって形成される側面２２が形成されていることが好ましい。なおこの角度としては特に限定されるわけではないが、直線の辺２１と側面とのなす角度が６０度以上１２０度以下（垂直な方向から２０度以下の範囲）であることが好ましく、略垂直であることがより好ましい。
【００１６】
また、本補助具１において辺部２の直線の辺２１の長さとしては、３５ｃｍ以上４３ｃｍ以下の範囲にあることが好ましく、より好ましくは３７ｃｍ以上４１ｃｍ以下の範囲である。一般にＸ撮影装置は、Ｘ線照射装置とフィルムの間に被撮影者の体を配置し、Ｘ線照射装置からＸ線を照射して被撮影者の体に透過させつつフィルムを変色させるものであるところ、フィルムはフィルム収納用の枠に収められており、このフィルムの枠の大きさは約３９ｃｍ四方が一般的であるため、この範囲にあわせることでこの枠の大きさに合わせ、撮影の際の位置設定ミスを少なくすることができる。
【００１７】
また、本補助具１において、辺部２の直線の辺２１の中間点には印が付されていることが好ましい。この中間点が位置あわせの中心位置となるため、この位置に印を付すことで位置調整が容易になるといった効果がある。なおこの印は、インク等で記載された線、点又はマークなどであってもよいが、切欠きや凸部であってもよい。
【００１８】
また本補助具１では、上記のとおり辺部２から広がりつつ切抜空間４を設けて対称に枝分かれして形成される二つの枝部３１、３２を有している。枝部３１、３２は、主として被撮影者の背中、腰、尻を乗せるために用いられる部位である。辺部２では被撮影者の腰の位置を正確に合わせるため枠に合わせた幅としている一方で、枝部３１、３２では全体の幅に広がりを持たせることで体の配置に余裕を持たせるとともに安定的に体を配置することができ、しかも様々な被測定者の体格に合わせることが可能となる。
【００１９】
また本補助具において、限定されるわけではないが、枝部の外側辺の間の距離は、４５ｃｍ以上５５ｃｍ以下の範囲内であることが好ましい。この範囲にすることで、上記効果を効果的に実現できる。
【００２０】
また本補助具において、限定されるわけではないが、枝部３１、３２の先端と辺部２１との距離は、適宜調整可能ではあるが、４５ｃｍ以上６５ｃｍ以下であることが好ましい。この範囲に収めることで、一般の被撮影者の体格に概ね合わせることができ、持ち運びも便利となる。
【００２１】
また本補助具１は、上記のとおり、枝部３の先端から辺部２の直線の辺２１側に向かうに従い、徐々に厚くなっている第一の傾斜部３３を有する。このようにすることで、先端側よりも辺部２の位置の方が高くなり、被撮影者の腰の曲がりに合わせることができるようになっており、背骨の湾曲した高齢者等が被測定者の場合、特に負担の軽減が可能となる。また撮影の際、被撮影者を横にした後に本補助具１を使用しようとする場合において、先端の薄い部分から台と被撮影者の間に挿入しやすくなる効果もある。なおこの第一の傾斜部３３は、一定の傾きで形成されていることが好ましいが、曲面であってもよい。なお、先端部分の厚さとしては、限定されるわけではないが、５ｍｍ以上４ｃｍ以下であることが好ましい。
【００２２】
更に、本補助具１の枝部３及び辺部２には、切抜空間４側を最も低い位置として外側に行くに従い厚くなる第二の傾斜部３４が形成されている。より具体的には、枝部３は切り抜空間４側から外側にかけて徐々に厚くなっており、辺部２には、切抜空間４側から外側に従いすり鉢状に厚くなっている。第二の傾斜部３４を形成することで、被測定者が測定の際、低い位置に腰、尻及び背中を配置し安定させやすくなっており、本補助具１の中心（切抜空間部分）に体を安定的に配置しやすくなる。また切抜空間４側を薄くすることで、本補助具１の材質自体が写りこんでしまうことを防止できる。なお第二の傾斜部３４は、一定の傾きで形成されていることが製造を容易にする観点から好ましいが、曲面であれば体の形状に合わせることができより好ましい。またこれらを組み合わせても良い。また、切抜空間側の厚さとしては、限定されるわけではないが、５ｍｍ以上４ｃｍ以下であることが好ましい。
【００２３】
なお、本実施形態では、第一の傾斜部３３と第二の傾斜部３４を別に構成したものとなっているが、一つの傾斜部として一体に構成しても良い。この場合、各枝部において、切抜空間４の先端内側から辺部２の外端にかけて厚くなっている構成とすることが考えられる。
【００２４】
また本補助具１においては、二つの枝部３１、３２の間には上記のとおり切抜空間４が形成されている。切抜空間４の位置には被撮影者の背中の中心、より具体的には背骨が配置されることとなるため、本補助具の材料によってＸ線等が少しとはいえ吸収等されることで撮影の際に写りこみ背骨の部分に写りこんでしまうことがなくなる。また、被撮影者の背中を左右の枝部材で支えることとなり、背骨に台が直接触れることが極めて少なくなるため背骨に負担をかける虞が格段に少なくなり、被撮影者の負担をより軽減することができるようになる。
【００２５】
また本補助具１において、切抜空間４は枝部の先端に行くに従い広がって（先端から遠ざかるに従い狭くなるよう）形成されており、その切抜空間の先端における幅は１５ｃｍ以上２５ｃｍ以下の範囲であることが好ましく、より好ましくは２０ｃｍ以下である。１５ｃｍ以上とすることで、撮影装置使用者等が本補助具１を持ち運ぶ際、肩にかけて持ち運びができる十分な幅となる一方、２５ｃｍ以下とすることで安定的に体を挟むことができ、歩行の際の振動による揺れで不安定な保持となってしまう（脱落する）ことを防止することができ、２０ｃｍ以下とすることでこの効果がより顕著となる。
【００２６】
また本補助具において、この切抜空間の深さは辺部から先端までの長さの半分以上あることが好ましい。このようにすることで、辺部の直線の辺と先端の中間を基準とした場合、辺部側の重量と先端側の重量のバランスにおいて先端側の重量を比較的重くすることが可能となり、肩にかけて持ち運びを行なう等切抜空間に肩等を引っ掛けて運ぶ際、枝部でバランスをとり安定的に運ぶことができるようになる。より具体的な長さとしては、限定されるわけではないが、２５ｃｍ以上４０ｃｍ以下の範囲内にあることが好ましい。
【００２７】
前記切抜空間の底の幅は、切抜空間の底から５ｃｍの位置において、切抜空間の幅が８ｃｍ以上１４ｃｍ以下の範囲にあることが好ましく、より好ましくは１２ｃｍ以下である。このようにすることで先端部では切抜空間を広く確保することができる一方、底に近い部分ではより安定の位置を絞り込むことができる。すなわち、被撮影者の腰の位置は比較的狭い範囲で安定を取ることができる一方、背中の位置は比較的余裕が生まれ、被撮影者の負担を軽減させることができるようになる。また、本補助具１を持ち運ぶ際、例えばこの切抜空間を肩に当てる等で持ち運ぶ際等、切抜空間を外側に広げながら挟んで運ぶような場合において、底部の角部分に力を集中してしまうことを防止し、この角部分から本補助具が折れやすくなってしまうことを防止することができる。なお、切抜空間の底部が曲面をもって構成されている場合は、この曲面の最も底の部分（先端から遠い部分）を底位置として上記長さを定める。この場合の例を図１２に示しておく。
【００２８】
また、本補助具１には、図示していないが、背面に、粘着性部材が付されていることも好ましい。粘着性部材を配置することで、台上において一度位置決めを行なった後に本補助具１が簡単に動いてしまうことを防止することができる。特に、現状のＸ線装置の場合、台を一度垂直に立てた後、略平行に被測定者を立たせ、徐々に台を回転させつつ被測定者を水平にさせものが少なくなく、台を立てた場合であっても、被測定者が台に乗る前（台に体を合わせる前）に、本補助具１の位置を被測定者の腰の位置又はフィルムの枠に合わせることが可能となる。粘着性部材の配置としては特に限定されず、全体に付されていてもよいが一部であっても良い。一部の場合、辺部２にあることが位置決め基準となる位置に近くより確実に固定することが可能となるため好ましい。なお粘着性部材の例としては特に限定されるものではなく、例えば接着剤が付されたシールや粘着性のあるエラストマーであることが好ましい。エラストマーの場合、加硫ゴムや樹脂系のエラストマーを用いることができ、例えばウレタンゴムやスチレン系のエラストマー等を用いることで何度も接着、剥離を繰り返すことが可能であり好ましい。
【００２９】
以上、本補助具により、被撮影者の撮影における負担を軽減させる撮影補助具を提供することができる。特に本補助具は一体に形成されており、これにより、複数のブロックを組み合わせて調整する手間がなく、時間のロスが少なく、被撮影者における腰の負担を大幅に軽減できる。なお、本発明は、高齢者等背骨が湾曲した者である場合に効果が極めて大きいものであるが、健常者に対しても有用である。また、最も好ましい例として腰、尻、背中を乗せる場合の例を示しているが、体の他の部位の測定に用いることを否定するものではなく、また一般撮影においても用いることができることはいうまでもない。
【産業上の利用可能性】
【００３０】
本発明は、撮影補助具として産業上の利用可能性がある。
【符号の説明】
【００３１】
１…撮影補助具、２…辺部、３１、３２…枝部、４…切抜空間
【図１】
2014036774.tif 000003
【図２】
2014036774.tif 000004
【図３】
2014036774.tif 000005
【図４】
2014036774.tif 000006
【図５】
2014036774.tif 000007
【図６】
2014036774.tif 000008
【図７】
2014036774.tif 000009
【図８】
2014036774.tif 000010
【図９】
2014036774.tif 000011
【図１０】
2014036774.tif 000012
【図１１】
2014036774.tif 000013
【図１２】
2014036774.tif 000014